(57)【要約】【課題】気管切開チューブ等の医療機器に設けられた取付孔に、紐状体を容易かつ効率的に、しっかりと取付けることが可能な紐状構成体、医療機器セット及び気管切開チューブセットを提供すること。【解決手段】紐状構成体１０であって、重ね合せ部１３の長手方向の一端側Ｆから順に、第１部位１４と、第２部位１５とを設定し、前記重ね合せ部１３の前記第１部位１４の表側に、互いに横切るように前記重ね合せ部１３の前記第２部位１５を重ねて環状部１６を形成し、前記重ね合せ部１３の前記第２部位１５から他端側Ｒに伸びる他端側重ね合せ部１７の一部を、前記重ね合せ部１３の前記第１部位１４の裏側から前記環状部１６に挿通して引き出し、前記重ね合せ部１３は、前記一端側Ｆが接続されていることを特徴とする。【選択図】図２
0003153391.tif 000002
【実用新案登録請求の範囲】
【請求項１】
紐状体を重ね合わせてなる重ね合せ部の長手方向の一端側から順に、第１部位と、第２部位とを設定し、
前記重ね合せ部の前記第１部位の表側と、前記重ね合せ部の前記第２部位とを、互いに横切るように重ねられて環状部を形成し、
前記重ね合せ部の前記第２部位から他端側に伸びる他端側重ね合せ部の一部を、前記重ね合せ部の前記第１部位の裏側から前記環状部に挿通して引き出し、
前記重ね合せ部は、前記一端側と前記他端側の少なくともいずれか一方が接続部とされていることを特徴とする紐状構成体。
【請求項２】
紐状体を重ね合わせてなる重ね合せ部の長手方向の一端側から順に設定された第１折曲部と第２折曲部において折り曲げられ、
前記重ね合せ部は、前記第１折曲部よりも一端側に設けられた第１部位の表側と、前記第１折曲部よりも他端側に設けられた第２部位の裏側とが、互いに横切るように重ねられて環状部が形成され、
前記重ね合せ部の前記第２部位より他端側に伸びる他端側重ね合せ部は、その途中に設けられた第３折曲部が、前記重ね合せ部の第１部位の裏側から前記環状部に挿通して反対側から引き出されており、
前記重ね合せ部は前記一端側と前記他端側の少なくともいずれか一方が接続部とされていることを特徴とする紐状構成体。
【請求項３】
請求項１又は請求項２に記載の紐状構成体であって、
前記接続部に挿入ガイドが設けられていることを特徴とする紐状構成体。
【請求項４】
請求項１から請求項３のいずれか１項に記載の紐状構成体を備えることを特徴とする医療機器セット。
【請求項５】
請求項１から請求項３のいずれか１項に記載の紐状構成体を備えることを特徴とする気管切開チューブセット。
【考案の詳細な説明】
【技術分野】
【０００１】
この考案は、紐状構成体、紐状構成体を備えた医療機器セット、及び紐状構成体を備えた気管切開チューブセットに関するものである。
【背景技術】
【０００２】
従来、人体に装着して用いる医療機器の一例として、特許文献１に記載されるような気管切開チューブがあり、このような気管切開チューブは、気管切開チューブと同梱された綿テープの両端をネックプレートの取付孔に通して、それぞれの端部側を取付孔に固結びをすることで気管切開チューブを患者に装着することが一般的である。
【０００３】
しかしながら、綿テープを取付孔に固結びすることにより気管切開チューブに取付ける場合、ネックプレートが患者に適切に装着される程度にしっかりと引っ張ることが難しく、緩んだ状態で装着され易い。また、固結びをする際に、引張り方向にネックプレートが引っ張られてずれやすいという問題があった。
そこで、ネックプレートの取付孔に、別々の紐状体の端部をそれぞれ固結びにより取り付け、それぞれの紐状体の自由端を、患者の頸部後方で蝶結び等によって装着する場合がある。
【先行技術文献】
【特許文献】
【０００４】
【特許文献１】特開２００３−１２６２５９号公報
【考案の概要】
【考案が解決しようとする課題】
【０００５】
しかしながら、ネックプレートの取付孔に紐状体の端部を挿通させる作業は、手先を細かく動かして行なうことが必要であり、例えば、患者が高齢な場合や、健康状態によっては手間がかかる場合がある。
そのため、紐状体を、気管切開チューブをはじめとする医療機器に形成された取付孔に容易かつ効率的に、しっかりと取付けるための技術的要請がある。
【０００６】
本考案は、かかる事情を考慮してなされたものであり、気管切開チューブ等の医療機器に設けられた取付孔に、紐状体を容易かつ効率的に、しっかりと取付けることが可能な紐状構成体、医療機器セット及び気管切開チューブセットを提供することを目的とする。
【課題を解決するための手段】
【０００７】
上記課題を解決するために、この考案は以下の手段を提案している。
請求項１に記載された考案は、紐状体を重ね合わせてなる重ね合せ部の長手方向の一端側から順に、第１部位と、第２部位とを設定し、前記重ね合せ部の前記第１部位の表側と、前記重ね合せ部の前記第２部位とを、互いに横切るように重ねられて環状部を形成し、前記重ね合せ部の前記第２部位から他端側に伸びる他端側重ね合せ部の一部を、前記重ね合せ部の前記第１部位の裏側から前記環状部に挿通して引き出し、前記重ね合せ部は、前記一端側と前記他端側の少なくともいずれか一方が接続部とされていることを特徴とする。
【０００８】
請求項２に記載された考案は、紐状体を重ね合わせてなる重ね合せ部の長手方向の一端側から順に設定された第１折曲部と第２折曲部において折り曲げられ、前記重ね合せ部は、前記第１折曲部よりも一端側に設けられた第１部位の表側と、前記第１折曲部よりも他端側に設けられた第２部位の裏側とが、互いに横切るように重ねられて環状部が形成され、前記重ね合せ部の前記第２部位より他端側に伸びる他端側重ね合せ部は、その途中に設けられた第３折曲部が、前記重ね合せ部の第１部位の裏側から前記環状部に挿通して反対側から引き出されており、前記重ね合せ部は前記一端側と前記他端側の少なくともいずれか一方が接続部とされていることを特徴とする。
【０００９】
この考案に係る紐状構成体によれば、紐状構成体の一端側と他端側の少なくともいずれか一方が接続されることにより形成された接続部を取付孔に挿通し、取付孔に挿通した重ね合せ部により環状の紐状体を形成する。
そして、環状の紐状体と取付孔を挟んで反対側にある重ね合せ部（例えば、一端側が挿通されている場合には他端側が、他端側が挿通されている場合には一端側が相当）を、環状の紐状体に挿通する。この環状の紐状体に挿通する前又は後に、他端側を引っ張ると、紐状構成体がほどけて、紐状構成体の環状部に挿通されていた部分が抜ける。
そして、環状の紐状体に挿通した部分を、さらに引っ張ると、環状にした紐状体が縮まって、紐状体が取付孔を締めつけられて取付孔に容易かつ確実にしっかりと取り付けることができる。
また、この考案に係る紐状構成体によれば、紐状構成体の他端側重ね合せ部を他端側に引っ張ることで、紐状構成体がほどけるので、作業を容易、かつ効率的に行なうことができる。
また、紐状構成体の構成が簡単であるため、紐状構成体を容易に製造することができる。
【００１０】
請求項３に記載された考案は、請求項１又は請求項２に記載の紐状構成体であって、前記接続部に挿入ガイドが設けられていることを特徴とする。
【００１１】
この考案に係る紐状構成体によれば、接続部のうち取付孔に挿通する側に挿入ガイドが設けられているので、取付孔に接続部を容易かつ効率的に挿通させることができる。
【００１２】
請求項４に記載された考案は、医療機器セットであって、請求項１から請求項３のいずれか１項に記載の紐状構成体を備えることを特徴とする。
【００１３】
この考案に係る医療機器セットによれば、医療機器と、紐状構成体とを備えているので、医療機器を、容易かつ効率的に患者に装着することができる。
また、紐状構成体がコンパクトに構成され、しかも型崩れし難い構成とされているので、医療機器と紐状構成体を効率的に取り扱うことができる。
【００１４】
請求項５に記載の考案は、気管切開チューブセットであって、請求項１から請求項３のいずれか１項に記載の紐状構成体を備えることを特徴とする。
【００１５】
この考案に係る気管切開チューブセットによれば、気管切開チューブと、紐状構成体とを備えているので、気管切開チューブを、容易かつ効率的に患者に装着することができる。
また、紐状構成体がコンパクトに構成され、しかも型崩れし難い構造とされているので、気管切開チューブセットを効率的に取り扱うことができる。
【考案の効果】
【００１６】
この考案に係る紐状構成体によれば、気管切開チューブ等の医療機器に設けられた取付孔に、紐状体を容易かつ効率的にしっかりと取付けることができる。
また、この考案に係る医療機器セット、気管切開チューブセットによれば、医療機器、気管切開チューブを、容易かつ効率的に患者に装着することができる。
【図面の簡単な説明】
【００１７】
【図１】本考案の第１の実施形態に係る気管切開チューブセットを示す斜視図である。
【図２】本考案の第１の実施形態に係る紐状構成体を示す図である。
【図３】第１の実施形態に係る紐状構成体の詳細な構成を示す図である。
【図４】第１の実施形態に係る紐状構成体の製造手順を説明する図である。
【図５】第１の実施形態に係る紐状構成体を気管切開チューブに取り付け手順を示す図である。
【図６】第１の実施形態に係る紐状構成体を用いて気管切開チューブを患者に装着した状態を示す図である。
【図７】本考案の第２の実施形態に係る紐状構成体を示す図である。
【図８】第２の実施形態に係る紐状構成体の詳細な構成を示す図である。
【図９】第２の実施形態に係る紐状構成体を気管切開チューブに取り付け手順を示す図である。
【考案を実施するための形態】
【００１８】
以下、図１から図６を参照し、この考案の第１の実施形態に係る気管切開チューブセット及び紐状構成体について説明する。
図１は、気管切開チューブセットの一例を示す図であり、符号１は、気管切開チューブセットを示している。
気管切開チューブセット１は、図１に示すように、一対（２つ）の紐状構成体１０と、気管切開チューブ２０と、スタイレット３０と、収納バッグ４０とを備えている。
【００１９】
紐状構成体１０は、図２、図３に示すような構成とされ、例えば、布、薄い樹脂等を細長く短冊状に形成した紐状体１１を複数回折り曲げることにより形成されている。
紐状構成体１０は、図２に示すような概略構成とされており、詳細には、折り曲げて形成される過程における展開状態が、図３に示すような構成とされている。
【００２０】
紐状構成体１０は、図３（Ａ）に示すような紐状体１１を、接続部１２で折り曲げるとともに重ね合わせて形成した図３（Ｂ）に示すような重ね合せ部１３の、図３（Ｃ）に示すように接続部１２が位置する長手方向の一端側Ｆから順に設定された第１折曲部１２Ａで折り曲げられ、さらに図３（Ｄ）に示すように、第２折曲部１２Ｂにおいて折り曲げられて、重ね合せ部１３は、第１折曲部１２Ａよりも一端側Ｆに設けられた第１部位１４の表側Ｓと、第１折曲部１２Ａよりも他端側Ｒに設けられた第２部位１５が、互いに横切るように重ねられて環状部１６が形成され、重ね合せ部１３の第２部位１５より他端側Ｒに伸びる他端側重ね合せ部１７が、図３（Ｅ）、（Ｆ）に示すような状態で、その途中に設けられた第３折曲部１２Ｃが重ね合せ部１３の第１部位１４の裏側Ｔから環状部１６に挿通して反対側から引き出されている。
また、接続部１２には、例えば、先端側が漸次細くなる袋状の挿入ガイド１８が被覆されている。
【００２１】
なお、紐状構成体１０は、図２に示すような他端側重ね合せ部１７が他端側Ｒにおいて接続されていない形態と、他端側Ｒも接続され紐状体１１が環状に形成された形態のいずれを用いてもよく、他端側Ｒが接続されていない場合には、他端側重ね合せ部１７が他端に至る途中で一重となるように構成されてもよい。
【００２２】
以下、図４を参照して、第１の実施形態に係る紐状構成体１０の製造方法について説明する。
１）まず、図４（Ａ）に示すように、紐状体１１を接続部１２で折り曲げて、接続部１２からの長さが所定長さ以上になるように重ね合せ部１３を形成する。
２）次に、図４（Ｂ）に示すように、接続部１２が位置する側を一端側Ｆとし、一端側Ｆから順に、第１部位１４と、第２部位１５とを設定し、重ね合せ部１３の第１部位１４の表側Ｓに、互いに横切るように重ね合せ部１３の第２部位１５を重ねて環状部１６を形成する。
３）次いで、図４（Ｃ）に示すように、重ね合せ部１３の第２部位１５から他端側Ｒに伸びる他端側重ね合せ部１７の一部を、重ね合せ部１３の第１部位１４の裏側Ｔから環状部１６に挿通して引き出す。
４）次に、図４（Ｄ）に示すように、紐状体１１を一端側Ｆと他端側Ｒから引っ張って環状部１６を縮める。環状部１６が縮められると、重ね合せ部１３における第１部位１４と、第２部位１５は相対的に移動する。その後、挿入ガイド１８を接続部１２に被せる。
ここで、重ね合せ部１３の所定長さとは、例えば、気管切開チューブのネックプレートに２つの紐状体１１を取り付けた場合に、２つの紐状体１１の他端側を結び合わせることによって、気管切開チューブが患者に装着される長さである。
【００２３】
気管切開チューブ２０は、例えば、アウターカニューレ２１と、それに挿入可能なインナーカニューレ２２とを有しており、アウターカニューレ２１のネックプレート２３に、紐状構成体１０を構成する紐状体１１を取り付けて、この紐状体１１により気管切開チューブ２０を患者（人体）の頸部に装着するようになっている。
また、アウターカニューレ２１とインナーカニューレ２２とは着脱自在に連結できるようになっている。
【００２４】
アウターカニューレ２１は、ネックプレート２３と、湾曲外管２４と、湾曲外管２４の外周部の基端側に形成された第１連結壁部２５と、カフ２７にチューブ２６を介して空気を導入するためのカフ用ポンプ２７Ａと、湾曲外管２４の外側背面に形成され分泌物を吸引するための吸引管２８とを備えている。
【００２５】
ネックプレート２３は、湾曲外管の基端側の第１連結壁部２５に湾曲外管の穴とほぼ直交する方向に延在して形成され、第１連結壁部２５と接続される中央壁部２３Ａの両側に、取付翼部２３Ｂが中央壁部２３Ａと折曲可能に形成され、それぞれの取付翼部２３Ｂには取付孔２３Ｃが形成されている。
【００２６】
インナーカニューレ２２は、湾曲内管２９の基端側に第２連結壁部２９Ａが形成されており、第２連結壁部２９Ａを第１連結壁部２５と係合させて、アウターカニューレ２１とインナーカニューレ２２とを連結させるようになっている。
【００２７】
スタイレット３０は、気管切開チューブ２０を手術後又は交換時に患者の切開口に挿入する際に用いられ、アウターカニューレ２４に挿入して先端部を段差が少ないテーパー形状とすることで、安全で滑らかに挿管するためのものである。なお、挿入完了後は抜き取られるようになっている。
アウターカニューレ２１は、ネックプレート２３に形成された取付孔２３Ｃに紐状構成体１０の形態の紐状体１１を取り付けて、その紐状体１１を患者の頸部に結び付けて装着し、その後、カフ２７を膨らませて気管内壁に密着させる。
【００２８】
収納バッグ４０は、例えば、良好な視認性を確保するために透明又は半透明のポリエチレン等の合成樹脂で形成され、開口部はヒートシールによって溶着、密封して気管切開チューブ２０が細菌、有害化合物等によって汚染されるのを抑制するようになっている。
【００２９】
次に、図５を参照して、紐状構成体１０を用いて、気管切開チューブ２０のネックプレート２３に紐状体１１を取付ける方法について説明する。なお、図５においては、便宜のため、紐状構成体１０を、取付孔２３Ｃの一方の側に取付ける場合について説明する。
１）まず、図５（Ａ）に示すように、紐状構成体１０の挿入ガイド１８をネックプレート２３の取付孔２３Ｃに挿入する。
２）次に、図５（Ｂ）に示すように、挿入ガイド１８を接続部１２から取り除き、取付孔２３Ｃに挿通した重ね合せ部１３を構成する紐状体１１を接続部１２において両側に拡げて、紐状体１１の環状部１８Ａ（環状の紐状体１１）とする。
３）次いで、図５（Ｃ）に示すように、この環状部１８Ａに他端側重ね合せ部１７を他端側Ｒから挿入して環状部１８Ａの反対側から引っ張り出す。
４）次に、図５（Ｄ）に示すように、他端側重ね合せ部１７の他端側Ｒをさらに引っ張って、環状部１８Ａに挿通された他端側重ね合せ部１７の他端側Ｒを環状部１８Ａから引き出して他端側重ね合せ部１７を引っ張ると、紐状構成体１０において環状部１６に挿通された他端側重ね合せ部１７が、環状部１６から引き抜かれて紐状構成体１０がほどける。
また、紐状体１１の環状部１８Ａが縮まって紐状体１１の接続部１２の近い部分が取付孔２３Ｃにしっかりと固定される。
【００３０】
図６に示すように、気管切開チューブ２０をネックプレート２３に取り付けて、一対の紐状構成体１０を用いて、紐状体１１をネックプレート２３の取付孔２３Ｃに取り付け、紐状体１１を頸部の後方で結束して、ネックプレート２３に設けた気管切開チューブ２０を患者に取り付けたものである。
【００３１】
紐状構成体１０によれば、紐状構成体１０の接続部１２をネックプレート２３の取付孔２３Ｃに挿通して環状部１８Ａを形成し、他端側重ね合せ部１７を他端側Ｒから環状部１８Ａに挿通して引っ張り出すことで、環状部１８Ａが縮められて紐状体１１の接続部１２近傍を取付孔２３Ｃに締めつけるので、容易かつ確実にしっかりと紐状体１１をネックプレート２３に取り付けることができる。
【００３２】
また、紐状構成体１０に挿入ガイド１８が設けられているので、接続部１２を容易かつ効率的に取付孔２３Ｃに挿通させることができる。また、他端側重ね合せ部１７を他端側Ｒに引っ張り出すことで、紐状構成体１０がほどけるので、作業を容易、かつ効率的に行なうことができる。
【００３３】
気管切開チューブセット１によれば、気管切開チューブ２０を、容易かつ効率的に患者に装着することができる。
また、気管切開チューブセット１によれば、紐状構成体１０がコンパクトに構成され、しかも型崩れし難い構造とされているので、気管切開チューブセット１を効率的に取り扱うことができる。
【００３４】
以下、図７から図１０を参照し、この考案の第２の実施形態に係る紐状構成体について説明する。
第２の実施形態に係る気管切開チューブセット（図示せず）は、気管切開チューブセット１が備えていた紐状構成体１０に代えて、紐状構成体５０を備えている。
図７は、第２の実施形態に係る紐状構成体５０を示す図であり、紐状構成体５０は、図８に示すような概略構成とされており、詳細には、折り曲げて形成される過程における展開状態が、図８に示すような構成とされている。紐状構成体５０が、紐状構成体１０と異なるのは、紐状構成体１０では、接続部１２が重ね合せ部１３の一端側Ｆで接続されていたのに対して、紐状構成体５０では重ね合せ部１３の他端側Ｒに接続部５２が形成されている点である。
【００３５】
紐状構成体５０は、図８（Ａ）に示すような紐状体１１を、紐状体１１の他端側Ｒの接続部５２で折り曲げるとともに重ね合わせて形成した図８（Ｂ）に示すような重ね合せ部１３の、図８（Ｃ）に示すように紐状体１１の長手方向の一端側Ｆから順に設定された第１折曲部１２Ａで折り曲げられ、さらに図８（Ｄ）に示すように、第２折曲部１２Ｂにおいて折り曲げられて、重ね合せ部１３は、第１折曲部１２Ａよりも一端側Ｆに設けられた第１部位１４の表側Ｓと、第１折曲部１２Ａよりも他端側Ｒに設けられた第２部位１５が、互いに横切るように重ねられて環状部１６が形成され、重ね合せ部１３の第２部位１５より他端側Ｒに伸びる他端側重ね合せ部１７が、図８（Ｅ）、（Ｆ）に示すような状態で、その途中に設けられた第３折曲部１２Ｃが重ね合せ部１３の第１部位１４の裏側Ｔから環状部１６に挿通して反対側から引き出されている。
また、接続部５２には、例えば、先端側が漸次細くなる袋状の挿入ガイド１８が被覆されている。
【００３６】
なお、紐状構成体５０は、図７に示すような重ね合せ部１３が一端側Ｆにおいて接続されていない形態と、一端側Ｆも接続され紐状体１１が環状に形成された形態のいずれを用いてもよく、他端側Ｆが接続されていない場合には、重ね合せ部１３が一端に至る途中で一重となるように構成されてもよい。
【００３７】
次に、図９を参照して、紐状構成体５０を用いて、気管切開チューブ２０のネックプレート２３に紐状体１１を取付ける方法について説明する。なお、図９においては、便宜のため、紐状構成体５０を、取付孔２３Ｃの一方の側に取付ける場合について説明する。
１）まず、図９（Ａ）に示すように、紐状構成体５０の挿入ガイド１８をネックプレート２３の取付孔２３Ｃに挿入する。
２）次に、図９（Ｂ）に示すように、挿入ガイド１８を接続部５２から取り除き、取付孔２３Ｃに挿通した他端側重ね合せ部１７の接続部５２を引っ張り、他端側重ね合せ部１７を環状部１６から引っ張り出すことで紐状構成体５０をほどく。
３）次いで、図９（Ｃ）に示すように、接続部５２近傍の紐状体１１を拡げて環状部１８Ａを形成し、環状部１８Ａに重ね合せ部１３の一端側Ｆを挿通するとともに引っ張って紐状体１１の一端側Ｆを環状部１８Ａから引き出す。
４）次に、図９（Ｄ）に示すように、環状部１８Ａに挿通された重ね合せ部１３の一端側Ｆをさらに引っ張って、紐状体１１の環状部１８Ａを縮めるとともに紐状体１１の接続部５２の近い部分を取付孔２３Ｃにしっかりと固定する。
【００３８】
紐状構成体５０によれば、容易かつ確実にしっかりと紐状体１１をネックプレート２３に取り付けることができる。
また、紐状構成体５０に挿入ガイド１８が設けられているので、接続部５２を容易かつ効率的に取付孔２３Ｃに挿通させることができる。また、一端側Ｆを引っ張り出すことで、紐状構成体５０がほどけるので、作業を容易、かつ効率的に行なうことができる。
【００３９】
なお、この考案は上記実施の形態に限定されるものではなく、考案の趣旨を逸脱しない範囲において、種々の変更をすることができる。
例えば、上記実施の形態においては、気管切開チューブセット１が、紐状構成体１０又は５０と、気管切開チューブ２０と、スタイレット３０と、収納バッグ４０とを備える場合について説明したが、例えば、紐状構成体１０又は５０と、気管切開チューブ２０の一部の構成によって気管切開チューブセット１を構成してもよいし、気管切開チューブ２０に加えて他の構成を付加してもよい。
【００４０】
上記実施の形態においては、医療機器セットが、気管切開チューブセット１である場合について説明したが、例えば、取付孔（一部が接続されていないリング状のものを含む）を有する医療機器に適用してもよい。
【００４１】
また、上記実施の形態においては、接続部１２、接続部５２に先端側が漸次細くなる袋状の挿入ガイド１８を被覆した場合について説明したが、挿入ガイド１８を設けるかどうかは任意に設定することができる。
また、挿入ガイド１８に代えて、円錐形状等、他の形状を有する他の形状の挿入ガイドを用いてもよいし、紐状体１１の接続部１２、接続部５２を、取付孔２３Ｃに挿入し易い形状に形成し又は挿入時に形状が崩れ難い硬さに形成することにより挿入ガイドを設けてもよい。
【００４２】
また、紐状構成体１０、５０は、気管切開チューブセット等、医療機器セットの一部として用いる他、例えば、収納袋や箱に収納された状態で紐状構成体単独（１本又は複数本）で流通させてもよい。
【産業上の利用可能性】
【００４３】
本考案は、気管切開チューブ等、医療機器の取付孔への紐状体の取り付けを容易かつ効率的に、しっかりと行なうことができるので産業上利用可能である。
【符号の説明】
【００４４】
Ｆ    一端側
Ｒ    他端側
Ｓ    表側
Ｔ    裏側
１  気管切開チューブセット
１０、５０  紐状構成体
１１  紐状体
１２、５２  接続部
１２Ａ  第１折曲部
１２Ｂ  第２折曲部
１２Ｃ  第３折曲部
１３  重ね合せ部
１４  第１部位
１５  第２部位
１６  環状部
１７  他端側重ね合せ部
１８  挿入ガイド
２０  気管切開チューブ
２１  アウターカニューレ
２２  インナーカニューレ
２３  ネックプレート
２３Ｃ  取付孔
【図１】
0003153391.tif 000003
【図２】
0003153391.tif 000004
【図３】
0003153391.tif 000005
【図４】
0003153391.tif 000006
【図５】
0003153391.tif 000007
【図６】
0003153391.tif 000008
【図７】
0003153391.tif 000009
【図８】
0003153391.tif 000010
【図９】
0003153391.tif 000011